(57)【特許請求の範囲】
【請求項１】
背当て部分（１）と、その下端に薄肉部分（１２）を介して水平に屈曲される台座部分（２）がそれぞれブロー成形により全体として平板状に形成され、前記薄肉部分（１２）の左右両端の前記背当て部分（１）及び前記台座部分（２）に、前記薄肉部分（１２）を挟んで互いに反対方向へ向けて形成した傾斜面部（１８，１９）を互いに密着して連結固定し、全体として側面視Ｌ字状に形成してなる背負架台。
【請求項２】
前記背当て部分（１）及び前記台座部分（２）の前記傾斜面部（１８，１９）の対向位置に、それぞれ左右方向に伸びる凹溝（２０，２１）を形成したことを特徴とする請求項１に記載の背負架台。
【発明の詳細な説明】
【０００１】
【発明の属する技術分野】
本発明は、背負形動力作業機に使用される背負架台に関する。
【０００２】
【従来の技術】
前記背負形動力作業機の一種の、例えば、背負形動力送風機では、内燃機関、遠心式送風機、燃料タンク等の主要な機械部分が背負架台に搭載装置され、作業者が前記架台を背負って、枯葉の吹き寄せ等の作業を行っている。
【０００３】
なお、前記背負架台として、従来、金属パイプ材を屈曲、成形、溶接等により、全体として側面視Ｌ字状に構成した金属製のもの、その他、略同形にブロー成形されたプラスチック材からなる背負架台も提供されている。
【０００４】
【発明が解決しようとする課題】
本発明は、前記背負形動力作業機の製造に先立って準備される背負架台であり、ブロー成形により全体として平板状に製造され、したがって、省スペース化により、その後の運搬及び保管等における取扱いが容易で、経済的であり、さらに、予め、搭載する前記内燃機関、遠心式送風機、燃料タンク等の主要な機械部分の複雑な形状に対応させた製造、及びコントロールケーブル、リード線等の引き出しが容易であり、その後の組立て作業の容易化を図ることができる、背負架台を提供することを目的とする。
【０００５】
【課題を解決するための手段】
前記課題を解決するため、請求項１に示す本発明の背負架台は、背当て部分と、その下端に薄肉部分を介して水平に屈曲される台座部分がそれぞれブロー成形により全体として平板状に形成され、前記薄肉部分の左右両端の前記背当て部分及び前記台座部分に、前記薄肉部部分を挟んで互いに反対方向へ向けて形成した傾斜面部を互いに密着して連結固定し、全体として側面視Ｌ字状に形成してなる背負架台である。
【０００６】
前記請求項１に示す本発明の背負架台によれば、前記背当て部及び前記台座部分が、ブロー成形により全体として平板状に製造される。したがって、省スペース化により、その後の運搬及び保管等における取扱いが容易で、経済的であり、さらに、予め、搭載する前記機械部分の複雑形状に対応させて製造することが容易であるため、その後の組立て作業も容易である。
【０００７】
請求項２に示す本発明の実施の一形態は、前記背当て部分及び前記台座部分の前記傾斜面部の対向位置に、それぞれ左右方向に伸びる凹溝を形成したことを特徴とする請求項１に記載の背負架台である。
【０００８】
前記請求項２によれば、前記背当て部分及び前記台座部分を側面視Ｌ字状に形成した際に、密着させられた前記それぞれの傾斜面部の内部の左右横方向から外部に開放された透孔が形成される。
【０００９】
したがって、前記背当て部分及び前記台座部分に搭載装置された前記機械部分から導出されるコントロールケーブル、リード線等を、前記背負架台の側方に引き出し、例えば、操作レバー、その他のコントロール部材に接続することが容易である。
【００１０】
【発明の実施の形態】
以下に、本発明の実施の一形態を図面に基づいて説明する。図１は、本発明の実施の一形態に係る背負架台の組立て完了状態を、台座部分方向から見た斜視図、図２は、本発明の実施の一形態に係る背負架台の組立て完了状態を、背当て部分方向から見た斜視図、図３は、本発明の実施の一形態に係る背負架台の組立て完了状態を示す要部縦断左側面図、図４は、薄肉部分両端の傾斜面部を示す斜視図、図５は、本発明の実施の一形態に係る背負架台の成形直後の形状を示す平面図、図６は、図５の要部縦断面図、図７は、本発明の実施の一形態に係る背負架台を使用した背負形動力送風機の要部断面図である。
【００１１】
本発明の実施の一形態に示す背負架台Ｓは、背負形動力散布機、背負形動力送風機等の背負形動力作業機に用いられるもので、背当て部分１と、台座部分２と、を有し、これらの部分が全体として側面視Ｌ字状に形成される。
【００１２】
前記背当て部分１は、全体的に四角形状に形成され、その背当て面を形成する前面３には、後に述べる緩衝部材４を取付けるための取付け部５が形成され、後に述べる機械部分Ｍが搭載装置される背面６には、後に述べる遠心式送風機７への吸気効率を高めるために周囲になだらかな湾曲面８ａを形成した凸状吸気ガイド部８が形成されている。なお、図中、９は、後に述べる背負ベルト１０の取付け部、１１は、携帯用ハンドルである。
【００１３】
前記台座部分２は、全体的に四角形状に形成され、前記背当て部分１の下端に、薄肉部分１２を介して水平に屈曲自在に設けられ、上面１３には、前記遠心式送風機７の搭載装置部の下方に形成した窓孔１４、後に述べる内燃機関１５及び燃料タンク１６等の機械部分Ｍの支持部１７が形成されている。
【００１４】
さらに、前記薄肉部分１２の左右両端の、前記背当て部分１及び台座部分２に、それぞれ前記薄肉部分１２を挟んで互いに反対方向へ向けて第一傾斜面部１８及び第二傾斜面部１９が形成される。なお、前記背当て部分１の前記第一傾斜面部１８と前記台座部分２の前記第二傾斜面部１９との間の角度は、前記ブロー成形時に互いに９０度の角度をなすように形成される。
【００１５】
さらに、図面実施の一形態では、前記背当て部１の前記第一傾斜面部１８及び前記台座部分２の第二傾斜面部１９の対向位置に、それぞれ左右方向に伸びる凹溝２０及び２１が形成されている。
【００１６】
さらに、前記背当て部分１の前記第一傾斜面部１８には、前記凹溝２０を挟んで、それぞれ連結孔２３が形成され、前記台座部分２の前記第二傾斜面部１９には、前記凹溝２１を挟み、かつ前記背当て部分１の前記第一傾斜面部１８に形成された前記連結孔２３と対応する位置にそれぞれボルト等の適当な連結具２２が嵌合し得る孔２５が形成される。図中、３０は、いずれも前記機械部分Ｍの固定用取付座である。
【００１７】
つぎに、前記背負架台Ｓの製造及び組立てについて説明する。前記背負架台Ｓは、プラスチック材料のブロー成形により、図５及び図６に示すように平板状に成形される。すなわち、前記背当て部分１及び台座部分２がそれぞれ中空箱形の薄壁構造に成形され、前記背当て部分１及び前記台座部分２との間に、可撓性の前記薄肉部分１２が介在させられて一体板状に成形される。図中、Ｗは、補強を兼ねた溶着部である。
【００１８】
前記構成により、前記背当て部分１を起立させた状態において、前記台座部分２を水平方向に屈曲させて、図１乃至図３に示すように側面視Ｌ字状に組立てることができる。
【００１９】
すなわち、前記背負架台Ｓの組立ては、前記可撓性の薄肉部分１２において、起立させた状態の前記背当て部分１に対して前記台座部分を水平方向へ９０度屈曲させ、かつ前記第一傾斜面部１８及び前記第二傾斜面部１９を互いに密着させ、前記第一傾斜面部１８及び前記第二傾斜面部１９に、予め形成された対応する前記連結孔２３及び前記連結孔２５に、それぞれボルト等の適当な連結具２２をそれぞれ嵌合固定し、図１乃至３に示す形状に組立てることができる。
【００２０】
前記組立て完了とともに、密着させられた前記第一傾斜面部１８及び前記第二傾斜面部１９の内部の左右横方向に、外部に開放された円形の透孔２９が形成される。該透孔２９は、前記背当て部分１及び台座部分２に搭載装置された前記機械部分Ｍからのコントロールケーブル、リード線等を、前記背負架台Ｓの側方に引き出したり、コントロールアームを枢着したりするために使用される。
【００２１】
図７には、前記背負架台Ｓを使用した背負形動力送風機の要部の断面図が示されている。同図において、１５は、前記した小型空冷２サイクルガソリンエンジン等の内燃機関、７は、前記内燃機関１５によって駆動される前記した遠心式送風機、７ａは、該遠心式送風機７を構成するファン、１６は、前記した燃料タンクである。
【００２２】
また、図中、２６は、前記遠心式送風機７への落ち葉等の吸引を阻止するグリッドであり、前記遠心式送風機７の吸気口７ｂの周囲、かつ、前記背当て部分１の背面６に形成した前記凸状部８に対向させて設けられ、多数の細長通気孔２６ａを有する。その他、明示していないが、前記コントロールアームに取着した各種コントロールレバー等の前記機械部分Ｍが搭載装置される。
【００２３】
なお、前記機械部分Ｍは、同図に示すごとく、前記背当て部分１及び前記台座部分２との間に、各種の防振部材、例えば、筒状防振部材２７、２８、２８等を前記固定用取付座３０、３０、３０に取着して搭載装置される。
【００２４】
図７の背負形動力送風機によれば、前記背当て部分１に形成した前記凸状部８及び前記台座部分２に形成した前記窓孔１４により、前記遠心式送風機７の吸気口７ｂへの空気吸引が、同図に矢印Ａで示したごとく、吸引抵抗を最小にして効率的に行われる。その他、本発明の背負架台Ｓは、ブロー成形により製造されるため、搭載装置する前記機械部分Ｍの複雑形状に対応させて製造することが容易である。
【００２５】
【発明の効果】
前記本発明の背負架台によれば、背当て部分及び台座部分がブロー成形により全体として平板状に製造され、省スペース化により、その後の運搬及び保管等における取扱いが容易で、経済的であり、さらに、予め、搭載装置する機械部分に対応させた形状に製造すること、及びコントロールケーブル、リード線等の引き出しも容易であり、その後の組立て作業の容易化を図ることができる。
【図面の簡単な説明】
【図１】本発明の実施の一形態に係る背負架台の組立て完了状態を、台座部分方向から見た斜視図である。
【図２】本発明の実施の一形態に係る背負架台の組立て完了状態を、背当て部分方向から見た斜視図である。
【図３】本発明の実施の一形態に係る背負架台の組立て完了状態を示す要部縦断左側面図である。
【図４】薄肉部分両端の傾斜面部を示す斜視図である
【図５】本発明の実施の一形態に係る背負架台の成形直後の形状を示す平面図である。
【図６】図５の要部縦断面図である。
【図７】本発明の実施の一形態に係る背負架台を使用した背負形動力送風機の要部断面図である。
【符号の説明】
１      背当て部分
２      台座部分
１２    薄肉部分
１８    傾斜面部
１９    傾斜面部
２０    凹溝
２１    凹溝
【図１】
0003821356.tif 000002
【図２】
0003821356.tif 000003
【図３】
0003821356.tif 000004
【図４】
0003821356.tif 000005
【図５】
0003821356.tif 000006
【図６】
0003821356.tif 000007
【図７】
0003821356.tif 000008